(57)【要約】【課題】  フード側面がオープンの場合でも幕板を固定することができ、幕板の高さ寸法を容易に短くすることができるようにすることである。  【解決手段】  本発明では、前面を前幕板で構成し、少なくとも片側の側面をフード本体に固定された横幕板で構成し、前面の前幕板を横幕板に固定した。また、横幕板に取付金具を固定するための固定穴を縦方向に複数設け、また前幕板裏面に設けられる取付金具取付穴を、横幕板の全ての固定穴に該当する位置に設けた。また、横幕板を上下対称形状とし、取付金具を取り付けるための複数の固定穴も上下対称となるようにした。【選択図】  図２
2006078008.tif 000002
【特許請求の範囲】
【請求項１】
レンジフードにおいて、レンジフード上部前面に前幕板を設置し、レンジフード上部側面の少なくとも片側に横幕板を設置し、前幕板を横幕板に固定したことを特徴とするレンジフード。
【請求項２】
前記横幕板をレンジフードに固定したことを特徴とする請求項１記載のレンジフード。
【請求項３】
前記横幕板を壁面に固定したことを特徴とする請求項１または２記載のレンジフード。
【請求項４】
前記横幕板に取付金具を固定するための固定穴を縦方向に複数設け、また前記前幕板裏面に設けられる取付金具取付穴を、横幕板の全ての固定穴に該当する位置に設けたことを特徴とする請求項１乃至３いずれかに記載のレンジフード。
【請求項５】
横幕板を上下対称形状とし、取付金具を取り付けるための複数の固定穴も上下対称となるようにしたことを特徴とする請求項４記載のレンジフード。
【発明の詳細な説明】
【技術分野】
【０００１】
本発明は、上部空間を幕板で覆ったレンジフードの構造に関する。 
【背景技術】
【０００２】
従来のレンジフード用幕板取付装置は、左右のキャビネットもしくは壁面に接続金具を固定し、この接続金具を介して幕板を固定している（例えば、特許文献１参照。）。 
このような場合、左右にキャビネットもしくは壁面が必要となり、フード側面がキャビネットも壁面もないオープンな状態では設置できないという問題があった。また、この装置ではレンジフード上部の片側に梁が存在している場合には対応できるが、天井高が低い場合などで、幕板の高さ寸法を均一に短くする場合には対応できないという問題があった。
【０００３】
他にも、左右のキャビネットもしくは壁面に接続金具を固定し、この接続金具を介して幕板を固定している構造のレンジフード用幕板取付装置が開示されている。（例えば、特許文献２参照。）。
しかし、同じくこのような場合、左右にキャビネットもしくは壁面が必要となり、フード側面がキャビネットも壁面もないオープンな状態では設置できないという問題があった。 また、この装置では天井高が低い場合などで、幕板の高さ寸法を均一に短くする場合には対応できないという問題があった。
【特許文献１】実開平６−５１７３８号公報（第２頁、第２図）
【特許文献２】実開平６−５６６３０号公報（第３頁、第３図）
【発明の開示】
【発明が解決しようとする課題】
【０００４】
本発明は、上記問題を解決するためになされたもので、本発明の課題は、フード側面がオープンの場合でも幕板を固定することができ、幕板の高さ寸法を容易に短くすることができるようにすることである。
【課題を解決するための手段】
【０００５】
上記目的を達成するために請求項１記載の発明によれば、レンジフードにおいて、レンジフード上部前面に前幕板を設置し、レンジフード上部側面の少なくとも片側に横幕板を設置し、前幕板を横幕板に固定した。こうすることにより、フード側面がオープンの場合でも前幕板を固定することが可能となった。
【０００６】
また、請求項２記載の発明のよれば、前記横幕板をレンジフードに固定したことを特徴とした。こうすることにより、横幕板を確実に固定できる。
【０００７】
また、請求項３記載の発明のよれば、前記横幕板を壁面に固定することを特徴とした。こうすることにより、さらに前幕板、横幕板を強固に固定することができる。
【０００８】
また、請求項４記載の発明のよれば、前記横幕板に取付金具を固定するための固定穴を縦方向に複数設け、また前記前幕板裏面に設けられる取付金具取付穴を、横幕板の全ての固定穴に該当する位置に設けたことを特徴とした。こうすることにより、幕板の高さ寸法を容易に短くすることを可能とした。
【０００９】
また、請求項５記載の発明のよれば、横幕板を上下対称形状とし、取付金具を取り付けるための複数の固定穴も上下対称となるようにした。こうすることにより、横幕板を左右共通部品とすることが可能となる。
【発明の効果】
【００１０】
本発明によれば、フード側面がオープンの場合でも幕板を固定することができ、幕板の高さ寸法を容易に短くすることができるという効果がある。また、横幕板を左右共通部品とすることができるという効果もある。
【発明を実施するための最良の形態】
【００１１】
図１は本考案の第一実施例のシステムキッチン全体を示す全体図である。キッチンカウンター３に組み込まれたコンロ４の上方部にレンジフード１を設置している。レンジフード１の上面に形成される空間を用いてダクト配管、電源配線を行う。この空間をウォールキャビネット２の側面と横幕板６と前幕板５で囲み、ダクト、電源配線を隠している。図１のような対面レイアウトではシンク９の上方部にウォールキャビネットを設置せず、フード側面がオープンになる場合があるが、横幕板６を設置することにより、側面オープンでも幕板が設置できるようになっている。
【００１２】
図２は第一実施例の幕板部の詳細を示す斜視図、図３はその断面図である。また、図４は第一実施例の横幕板６の詳細を示す斜視図、図５は側面金具１１の詳細を示す斜視図、図６は前幕板５を前側から見た詳細を示す斜視図、図７は前幕板５を裏側から見た分解斜視図である。図２に示すように、幕板部は横幕板６と側面金具１１と前幕板５と下枠７とで構成されている。横幕板６はレンジフードとの一体感を持たせるため、レンジフードと同じ材質の鋼板製とすることが多く、色もレンジフードとあわせている。横幕板６は図４に示すように上下にレンジフードと固定するための折り返し６ｅをつけ、折り返し６ｅに設けられた穴６ｂを介し、ネジ等によりレンジフードに固定できる。また奥側にも壁面と固定するための折り返し６ｆをつけている。そこに設けた穴６ｃを介し、ネジ等により壁面と固定すると、さらに横幕板６を強固に固定することができる。
【００１３】
側面金具１１は図５に示す形状をしており、側面に設置されるウォールキャビネットと固定するための折り返し１１ｃを設けている。折り返し１１ｃに設けた穴１１ｄを介し、ネジ等により側板金具１１を固定する。また、側面がウォールキャビネットではなく、壁面がくる場合には壁面に固定してもよい。
【００１４】
前幕板５は隣接するウォールキャビネットと統一感を持たせるため、ウォールキャビネットの扉面材と同じ材質で作られることがある。この材質は木質材料である場合が多いが、消防法の規定によりレンジフード１との間に空間を設け、空気の流入をさせねばならない。そのために図６、図７に示すように前幕板５の下部に下枠７をネジ７ａにより固定する。下枠７は金属で作られているため燃焼の問題はなく、また空気流入口７ｂが設けられているため、空気の流入が可能となる。
【００１５】
図７に示すように、前幕板５の裏面に取付金具８がネジ８ａにて固定される。前幕板５の裏面にはネジ８ａを固定するための下穴８ｂが設けられている。前幕板５を横幕板６に固定する方法についてであるが、図３に示すように、上部については、横幕板６に設けられた取付金具取付穴６ａに取付金具８を引っ掛け、下部については下枠に設けられた穴７ｃを介し、横幕板のネジ穴６ｄにネジ１２を取り付けることにより前幕板５を固定する。前幕板５と側面金具１１の固定についても同じ要領となる。
【００１６】
図４に示すように、横幕板６は上面にも折り返しを設けることで、上下対称の形状としている。こうすることにより、右側面用と左側面用を共通とすることができる。また、図５に示すように側面金具１１も上下対称の形状とし、右側面用と左側面用を共通としている。
【００１７】
図８は本考案の第一実施例を天井の低い現場に設置した状態を示す正面図である。図８に示すようにキッチンカウンター３の上面とレンジフード１の下面との距離Ｂは消防法の規定により、８００ｍｍ以上としなければならないため、天井高さが低い場合には幕板部を短くカットすることが多い。以下、作業の手順を説明する。まず、天井高さＡを測り、幕板部のカット寸法Ｄを計算する。次に前幕板５、横幕板６および側面金具１１をカット寸法Ｄでカットする。カットは設置した際に上にくる側を切るようにする。次にカットした横幕板６をフード、壁面などに固定する。カットした側面金具１１は壁面に固定する。
【００１８】
最後に前幕板の固定を行う。図４に示すように、横幕板６には取付金具取付穴６ａが複数設けられており、また、図７に示すように、前幕板５の裏面には取付金具８を固定するための下穴８ｂが上下方向に複数設けられている。横幕板６の取付金具取付穴６ａの２００〜２０６は、前幕板５裏面の取付金具８を固定するための下穴８ｂの１００〜１０６にそれぞれ該当しており、１００に取付金具８を固定した場合には２００を使用し、１０１に取付金具８を固定した場合には２０１を使用するといった具合になっている。また、図５に示すように、同じく側面金具１１の取付金具取付穴１１ａも前幕板５の下穴８ｂに該当するように出来ている。幕板をカットしない場合には、１００、２００、３００を使用し固定すればよいが、幕板をカットした場合には、カットしたときに残った取付穴で最も上にあるものを使用し、前幕板５を固定することになる。今回は上面からＤの寸法でカットするため、前幕板は１０３の下穴、横幕板は２０３、側面金具は３０３の取付穴を使用する。
【００１９】
後は通常の固定方法と同じく、横幕板６の取付穴６ａの２０３と、側面金具１１の取付穴１１ａの３０３に取付金具８を引っ掛け、下部については下枠に設けられた穴７ｃを介し、横幕板のネジ穴６ｄ及び側面金具のネジ穴１１ｂにネジ１２を取り付けることにより前幕板５を固定し、完成となる。
【００２０】
図９は本考案の第一実施例を梁のある現場に設置した状態を示す正面図である。図９に示すように、梁１０がある場合は幕板の上面片側を切り欠くことになるが、この場合には切り欠く側の横幕板についてのみ、上記の作業をすればよい。
【００２１】
キッチンフードの両側面がオープンである場合には両側面に横幕板６を用いることで対応できる。
【図面の簡単な説明】
【００２２】
【図１】本発明の実施例全体を示す斜視図である。
【図２】本発明の実施例の詳細を示す斜視図である。
【図３】本発明の実施例の詳細を示す断面図である。
【図４】本発明の実施例で、横幕板を示す斜視図である。
【図５】本発明の実施例で、前幕板の前面を示す斜視図である。
【図６】本発明の実施例で、前幕板の裏面を示す斜視図である。
【図７】本発明の実施例で、施工状態を示す正面図である。
【図８】本発明の実施例で、施工状態を示す正面図である。
【図９】本発明の実施例で、金具を示す斜視図である。
【符号の説明】
【００２３】
１…レンジフード
２…ウォールキャビネット
３…カウンター
４…コンロ
５…前幕板
６…横幕板
７…下枠
８…取付金具
９…シンク
１０…梁
１１…側面金具
【図１】
2006078008.tif 000003
【図２】
2006078008.tif 000004
【図３】
2006078008.tif 000005
【図４】
2006078008.tif 000006
【図５】
2006078008.tif 000007
【図６】
2006078008.tif 000008
【図７】
2006078008.tif 000009
【図８】
2006078008.tif 000010
【図９】
2006078008.tif 000011